(57)【要約】【課題】照明ユニット内部に発生した水分による不要な短絡を防止することができる照明ユニットを提供する【解決手段】本発明の照明ユニットは、発光素子を有する複数の光源と、前記光源が長手方向に沿って配列された長尺な支持体と、を備え、前記支持体は、前記光源が設けられた第１の面と、前記第１の面から連続して前記第１の面の高さよりも低く、かつ前記支持体の長手方向に沿って設けられた第２の面と、から少なくとも構成されていることを特徴とする。【選択図】図１
2010170847.tif 000002
【特許請求の範囲】
【請求項１】
発光素子を有する複数の光源と、前記光源が長手方向に沿って配列された長尺な支持体と、を備え、
前記支持体は、前記光源が設けられた第１の面と、前記第１の面から連続して前記第１の面の高さよりも低く、かつ前記支持体の長手方向に沿って設けられた第２の面と、から少なくとも構成されていることを特徴とする照明ユニット。
【請求項２】
前記支持体は、前記光源が設けられるための基板と台座とから構成されており、
前記支持体の第１の面は前記基板および前記台座から構成され、前記支持体の第２の面は前記台座から構成され、
前記基板の端部は、前記第２の面側に突出していることを特徴とする請求項１に記載の照明ユニット。
【請求項３】
前記照明ユニットは、さらに前記複数の光源を一体的に覆う透光性のカバーを有し、
前記カバーは、前記支持体の第２の面に固定されていることを特徴とする請求項１又は２に記載の照明ユニット。
【請求項４】
前記支持体の第１の面には、その短手方向の端部で開口するように前記光源を覆う光反射体が設けられていることを特徴とする１乃至３のいずれか一つに記載の照明ユニット。
【請求項５】
前記光反射体は、前記光源を覆う部分が略ドーム形状を有していることを特徴とする請求項４に記載の照明ユニット。
【請求項６】
前記支持体の第１の面には、前記支持体の長手方向に対して斜めに、前記支持体の第２の面側まで延在された溝部が形成されていることを特徴とする請求項１乃至５のいずれか一つに記載の照明ユニット。
【請求項７】
請求項１乃至６のいずれか一つに記載の照明ユニットは、前記支持体の長手方向側に排水口が形成されており、
前記排水口は、少なくとも前記支持体の第２の面の延長上にあり、かつ、前記支持体の第１の面の高さよりも低くなるように配置されていることを特徴とする照明ユニット。
【請求項８】
前記支持体は、前記第１の面と反対側の面が、前記照明ユニットを取り付ける面から離間していることを特徴とする請求項１乃至７のいずれか一つに記載の照明ユニット。
【発明の詳細な説明】
【技術分野】
【０００１】
本発明は、発光素子を有する光源を用いた照明ユニットに関し、例えば、冷蔵・冷凍食品等をはじめとして、各種商品が陳列されるショーケース用の照明ユニットに関する。
【背景技術】
【０００２】
近年、蛍光灯を用いた照明ユニットの代替照明ユニットとして、発光ダイオード等の発光素子を有する光源を用いた照明ユニットが提案されている。例えば、複数の発光ダイオードと、発光ダイオードが長手方向に配列される板状基板と、板状基板が内部に収納される透明の円筒体と、円筒体の両端を塞ぐ防水パッキンと、を有し、防水パッキンには配線孔が形成されており、その配線孔からは発光ダイオードと外部電源とを電気的に接続する配線が延設された照明ユニットが提案されている（特許文献１参照）。
【先行技術文献】
【特許文献】
【０００３】
【特許文献１】特開２００２−１４７９４５号公報
【発明の概要】
【発明が解決しようとする課題】
【０００４】
しかしながら、このような照明ユニットでは、結露や外部(例えば、配線孔等)から浸入した水分が、基板の上面を多量に流れて滞留した状態となり、基板の上面に形成された回路や光源の電極間などにおいて短絡が発生してしまうといった問題を有していた。さらに、基板の上面に防水用の保護膜が形成されていたとしても、水分が滞留することによって保護膜に浸透してしまい短絡に至る恐れがあった。
そこで、本発明はかかる事情に鑑みてなされたものであり、照明ユニット内部に発生した水分による不要な短絡を防止することができる照明ユニットを提供することを目的とする。
【課題を解決するための手段】
【０００５】
本発明によれば、前記課題は次の手段により解決される。
【０００６】
本発明の照明ユニットは、発光素子を有する複数の光源と、前記光源が長手方向に沿って配列された長尺な支持体と、を備え、前記支持体は、前記光源が設けられた第１の面と、前記第１の面から連続して前記第１の面の高さよりも低く、かつ前記支持体の長手方向に沿って設けられた第２の面と、から少なくとも構成されていることを特徴とする。これにより、結露や外部から浸入した水分によって、不要な短絡が発生するのを防止することができる。
ただし、本発明において、支持体の「第１の面」とは、構成される部材に関係なく、発光素子が設けられる面のことを言う。さらに「第２の面」とは、第１の面の高さよりも低い面のことを言う。
【０００７】
また、前記支持体は、前記光源が設けられるための基板と台座とから構成されており、前記支持体の第１の面は前記基板および前記台座から構成され、前記支持体の第２の面は前記台座から構成され、前記基板の端部は、前記第２の面側に突出しているのが好ましい。これにより、支持体の第２の面側に排水された水分が、再び第１の面側に流れ込み滞留してしまうのを抑制することができる。
また、本発明の照明ユニットは、さらに前記複数の光源を一体的に覆う透光性のカバーを有し、前記カバーは、前記支持体の第２の面に固定されているのが好ましい。これにより、カバー内面に結露した水分を第２の面まで逃がすことができ、支持体の第１の面に水分が流れて滞留してしまうのを抑制することができる。
さらに、前記支持体の第１の面には、その短手方向の端部で開口するように前記光源を覆う光反射体が設けられているのが好ましい。これにより、光源及び光反射体周辺に結露した水分を支持体の第２の面まで導き易くすることができる。
このとき、光反射体は、前記光源を覆う部分が略ドーム形状を有しているのが好ましく、光反射体を伝う水分の流れをさらに良くすることができる。
また、前記支持体の第１の面には、前記支持体の長手方向に対して斜めに、前記支持体の第２の面側まで延在された溝部が形成されているのが好ましい。これにより、支持体の第１の面を流れる水分を溝部が第２の面まで容易に導くことができる。
また、本発明の照明ユニットは、前記支持体の長手方向側に排水口が形成されており、前記排水口は、少なくとも前記支持体の第２の面の延長上にあり、かつ、前記支持体の第１の面の高さよりも低くなるように配置されているのが好ましい。これにより、照明ユニットの内部から外部に水分を効率良く排水することができる。
また、前記支持体は、前記第１の面と反対側の面が、前記照明ユニットを取り付ける面から離間しているのが好ましい。これにより、照明ユニットの取り付け面が結露して発生した水分が、支持体の第１の面まで流れ込み滞留してしまうのを抑制することができる。
【発明の効果】
【０００８】
本発明によれば、結露や外部から浸入した水分によって、不要な短絡が発生するのを防止した照明ユニットを提供することができる。
【図面の簡単な説明】
【０００９】
【図１】第一の実施形態に係る照明ユニットを模式的に示す斜視図である。
【図２】第一の実施形態に係る照明ユニットの端部を下面側から模式的に示す拡大図である。
【図３】第一の実施形態に係る照明ユニットの端部を上面側から模式的に示す拡大図である。
【図４】第一の実施形態に係る照明ユニットを模式的に示す図１のＡ−Ａ' 線における断面図である。
【図５】第一の実施形態に係る照明ユニットの内部を模式的に示す斜視図である。
【図６】第一の実施形態に係る照明ユニットの端部における内部を模式的に示す拡大図である。
【図７】第一の実施形態に係る照明ユニットの光反射体を模式的に示す斜視図である。
【図８】第一の実施形態に係る照明ユニットのキャップの内側を模式的に示す斜視図である。
【図９】第一の実施形態に係る照明ユニットの内部に発生した水分の流れを模式的に示す上面図である。
【図１０】第一の実施形態に係る照明ユニットの内部に発生した水分の流れを模式的に示す斜視図である。
【図１１】第二の実施形態に係る照明ユニットを短手方向ｙに切った断面を模式的に示す断面図である。
【発明を実施するための形態】
【００１０】
以下、本発明に係る照明ユニットの実施形態について詳細に説明する。
【００１１】
また、本明細書は特許請求の範囲に示される部材を、実施形態の部材に特定するものでは決してない。実施形態に記載されている構成部品の寸法、材質、形状、その相対的配置等は、特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細な説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１２】
＜第一の実施の形態＞
図１は、第一の実施形態に係る照明ユニットを模式的に示す斜視図である。図２は、第一の実施形態に係る照明ユニットの端部を下面側から模式的に示す拡大図である。図３は、第一の実施形態に係る照明ユニットの端部を上面側から模式的に示す拡大図である。図４は、第一の実施形態に係る照明ユニットを模式的に示す図１のＡ−Ａ' 線における断面図である。図５は、第一の実施形態に係る照明ユニットの内部を模式的に示す斜視図である（ただし、内部構造をより明確に示すためにカバー３０を図示していない）。図６は、第一の実施形態に係る照明ユニットの端部における内部を模式的に示す拡大図である（ただし、内部構造をより明確に示すためにカバー３０及びキャップ５０を図示していない）。図７は、第一の実施形態に係る照明ユニットの光反射体を模式的に示す斜視図である。図８は、第一の実施形態に係る照明ユニットのキャップの内側を模式的に示す斜視図である。
【００１３】
第一の実施形態に係る照明ユニットは、主として、発光素子を有する複数の光源１０と、光源１０が長手方向ｘに沿って配列された長尺な支持体２０と、を備え、支持体２０は、光源が設けられた第１の面２１と、第１の面２１から連続して第１の面２１の高さよりも低く、かつ支持体の長手方向ｘに沿って設けられた第２の面２２と、から少なくとも構成されている。具体的には、支持体２０は、略矩形形状を有しており、光源１０が配列されるように支持体２０の長手方向ｘに沿って第１の面２１を有している。さらに、支持体２０は、第１の面２１の短手方向ｙ側から連続した第２の面２２を有しており、その第２の面２２は第１の面２１の高さよりも低くなるように設けられている。
【００１４】
本実施形態において、支持体２０は、光源１０が設けられるための基板２０ａと台座２０ｂとの少なくとも二つの部材から構成されている。台座２０ｂは、略矩形形状を有している。基板２０ａは、光源１０の配列と同様にして台座２０ｂの長手方向ｘに沿って、台座２０ｂの上に設けられている。つまり、本実施形態に係る支持体の第１の面２１は、基板２０ａおよび台座２０ｂから構成されていると共に、光源１０が設けられる側全体に基板２０ａを有している。さらに、支持体２０は、第１の面２１を構成する台座２０ｂが短手方向ｙの両側に延在されて第２の面２２を構成している。このとき支持体の第２の面２２は、延在された台座２０ｂが、光源１０が設けられる側とは反対側に折り曲げられて略Ｌ字形状を有している。さらに、折り曲げられた第２の面２２の先端は、複数の光源１０を一体的に覆う透光性のカバー３０が固定可能なように、フック形状に形成されている。
【００１５】
本実施形態に係る透光性のカバー３０は、支持体２０を構成する台座２０ｂと同様に長尺な形状を有しており、複数の光源１０を覆うために半筒形状に形成されている。なお、カバー３０を短手方向ｙに切ったＡ−Ａ'断面の形状は、略四角形状を有している。カバー３０は、支持体の第２の面２２に固定されている。具体的には、カバー３０の短手方向ｙの両端部に鍔部３１が設けられており、その鍔部３１が支持体の第２の面２２の先端に形成されたフック部２３に係止されている。このとき、カバーの鍔部３１は、支持体の第１の面２１の高さよりも低くなるように配置されているのが好ましい。これにより、カバー３０の内面に結露した水分が支持体の第１の面２１に流れることなく、第２の面２２まで導くことができる。また、カバー３０の長手方向ｘの両端部は、それぞれ支持体２０の長手方向ｘの端部と開口部を構成しており、その開口部を覆うようにしてカバー３０及び支持体２０を保持するキャップ５０が設けられている。
【００１６】
本実施形態に係るキャップ５０は、カバー３０及び支持体２０の端部を外側から覆うと共に、キャップ５０の内側に形成された溝部５１に対して、カバー３０の端部が勘合される構造を有している。このため、ネジ等の部品を用いることなく容易に組み立てが可能であり、かつ十分な強度を有する構造とすることができる。また、支持体２０の長手方向ｘ側には、第２の面２２に流れ込んだ水分を外部に排水するための排水口６０が形成されており、本実施形態においてはキャップ５０に排水口６０が形成されている。排水口６０は、少なくとも支持体の第２の面２２の延長上にあり、かつ、支持体の第１の面２１の高さよりも低くなるように配置されている。さらに、キャップ５０には、光源１０と外部電源（図示しない）とを電気的に接続する配線（図示しない）を外部に取り出すための配線孔８０が形成されている。キャップの配線孔８０は、排水口６０と同様に支持体の第１の面２１の高さよりも低くなるように配置されている。
【００１７】
また、本実施形態における支持体２０には、支持体の第１の面２１の短手方向ｙの端部で開口して光源１０を覆う光反射体７０が設けられている。これにより、光源１０及び光反射体７０周辺に結露した水分を支持体の第２の面２２まで導き易くすることができる。このとき、光反射体７０は、支持体の第２の面２２に効率良く排水を行なうために、光源１０を覆う部分が略ドーム形状を有している。具体的には、光反射体７０のドーム形状は、少なくとも背面部７１と側面部７２とから構成されている。光反射体の背面部７１は、支持体の第１の面２１から、支持体の第１の面２１の短手方向ｙの端部まで湾曲するように延在して、光源１０の上方を覆っている。光反射体の側面部７２は、光反射体の背面部７２を挟むように両側から、支持体の第１の面２１の端部まで湾曲するように延在して、光源１０の側方を覆っている。このとき、光反射体の背面部７１および側面部７２は、それぞれ光源１０を覆う内面側にシリンドリカル形状に湾曲した反射面を有しているのが好ましく、排水性を維持すると共に色ムラの抑制された光を照射することができる。さらに、光反射体の背面部７１は、シリンドリカル形状の反射面を複数有することができ、隣接する反射面の曲率が互いに異なるように設けられているのが好ましい。これにより、光源１０からの光をそれぞれ異なる光軸を有する反射光として取り出すことができる。このため、広い範囲において均一な照度を有することが可能な照明ユニットを得ることができる。また、複数の反射面は、光源１０から離れて配置されるほど大きな面積と長い焦点距離を有していることが好ましい。これにより、光源１０から離れて配置されている反射面にて遠方を集光照射し、光源１０の近くに配置されている反射面にて近距離を集光照射することが可能となり、より広い範囲において均一な照度を有することが可能な照明ユニットを得ることができる。
また、本実施形態では、支持体２０に光反射体７０を複数有しており、１つの光反射体７０が複数の光源１０を個別に覆うように設けられている。言いかえると、１つの光反射体７０は、同一方向に開口するドーム形状を有する部分７４（以下、ドーム部という）を複数有しており、各ドーム部７４の内側に光源１０がそれぞれ設けられている。さらに、光反射体７０は、隣接するドーム部７４の間に、支持体の第１の面２１の短手方向ｙの端部に沿って設けられる壁面部７５を有している。このとき、光反射体の壁面部７５は、支持体の第１の面２１に対して略垂直方向に、光反射体のドーム部７４（特に、その開口部）の高さよりも高くなるように延在して設けられている。これにより、各光源１０が隔離された状態となるため、隣接した光源１０周辺に水分が再び浸入することを抑制することができる。さらに、外部で反射されて戻ってきた光を再び外部へ反射することができるため、光の取り出し効率を向上させることもできる。また、この光反射体７０は、支持体２０の長手方向ｘに沿って背中合わせとなるように２列に配列されており、各光反射体のドーム部７４が互い違いに重なるように配置されている。これにより、支持体の第１の面２１の中央付近を長手方向ｘに流れる水分を、第２の面２２側に導くことができると共に、照明ユニットを小型化することもできる。
また、本実施形態に係る光反射体７０は、支持体２０と接する部分にフック部７６を有し、支持体２０に形成された貫通孔に光反射体のフック部７６が挿入され係止されているが、これに限定されない。例えば、光反射体７０と支持体２０とを両面テープ等の接着部材を用いて固定することもできる。
【００１８】
以上の構成により、図９、図１０に示すように、第一の実施形態に係る照明ユニットは、結露や外部(例えば、配線孔等)から浸入した水分を、排水溝となる支持体の第２の面２２に逃がし外部に排水することができる。これにより、不要な水分が、支持体の第１の面２１を多量に流れて滞留した状態となることを防止することができる。
具体的には、照明ユニットの長手方向ｘが縦向き（略鉛直方向）になるように設置された際、支持体の第１の面２１に結露した水分は、(Ｉ)自然に支持体の第２の面２２に排水されたり、(II１・II２)光反射体７０に導かれて支持体の第２の面２２に排水されたりする。特に、支持体の第１の面２１の中央付近（光反射体の背中側）を流れる水分は、(II２)光反射体の略ドーム形状を有する部分７４に沿って、支持体の第２の面２２まで導かれ排水される。光源周辺（光反射体の内側）を流れる水分は、(II１)光反射体７０が支持体の第１の面２１の短手方向ｙの端部で開口しているため、光反射体７０の内面に沿って支持体の第２の面２２まで導かれ排水される。
また、カバー３０の内面に結露した水分は、(III)そのままカバー３０の内面を長手方向ｘに流れてキャップ５０の排水口から外部に排水されるが、照明ユニットの長手方向ｘが横向き（略水平方向）になるように設置された際には、(IV)カバー３０が支持体の第２の面２２に固定されているためカバー３０の内面を沿って支持体の第２の面２２まで流れ込み排水される。
また、天井等から落下した水滴がキャップ５０の配線孔８０等から内部に浸入した際には、(Ｖ)そのまま支持体の第２の面２２を流れて、反対側のキャップの排水口６０から外部に排水される。
【００１９】
したがって、第一の実施形態に係る照明ユニットは、結露や外部から浸入した水分によって、不要な短絡が発生するのを防止することができる。
【００２０】
以下、本発明に係る実施形態の各構成について詳述する。
【００２１】
（支持体）
支持体は、排水構造を有する照明ユニットの土台であって、各部材を直接又は間接的に接続するための部材である。支持体は、長手方向に沿って光源が配列される第１の面と、第１の面が突出するように段差を有する第２の面と、から少なくとも構成されている。支持体の第２の面の段差は、第２の面に流れ込んだ水分が再び第１の面に流れ込まないように２ｍｍ以上１０ｍｍ以下とするのが好ましく、さらに好ましくは４ｍｍ以上８ｍｍ以下である。このような支持体の第２の面の形状は、第１の面を流れる水分を排水することができれば良く、第一の実施形態のような略Ｌ字形状に限定されず、略Ｖ字形状や略Ｕ字形状等に形成しても良い。
また、支持体は、第一の実施形態（特に、図４）のように基板２０ａと台座２０ｂとの２つの部材から構成することができ、特に、支持体の第１の面２１は、光源１０が設けられる側全体に基板２０ａを有していても良いが、部分的に基板２０ａを有することで台座２０ｂが露出されていても良い。さらに、支持体は、１つの部材からも構成することができ、例えばセラミックスやガラスエポキシ等からなる回路基板に直接溝部を形成することによって、第１の面及び第２の面を構成することができる。
また、支持体の長手方向側には、照明ユニットを外部に固定するための取り付け部材を設けることができ、ネジ等の部品により固定することができる。例えば、第一の実施形態（特に、図６）のように、取り付け部材２４は、台座２０ｂの長手方向ｘの端部を略Ｌ字形状に折り曲げて構成しても良いが、別の部材及び形状から構成することもできる。さらに、照明ユニットを外部に取り付ける際には、少なくとも支持体の第１の面と反対側の面が、照明ユニットを取り付ける面から離間しているのが好ましい。これにより、照明ユニットの取り付け面に結露した水分が、照明ユニットの内部に流れ込み、基板の上面に滞留してしまうのを防止することができる。また、取り付け面の裏側に設けられた外部電源やガラス扉の結露防止用ヒーターからの熱の影響を抑制することもできる。さらには、支持体の取り付け部材以外が照明ユニットの取り付け面から離間しているのが好ましく、ネジや配線などの障害物の多い取り付け面に対しても、容易に取り付けが可能となり利便性に優れる。
【００２２】
（台座）
台座は、後述する基板と共に支持体を構成するための部材である。台座は、放熱性を考慮して、熱伝導性に優れた材料、例えば、アルミニウム合金やステンレス鋼、鉄、銅等の金属材料を板金加工したものや、アルミニウム合金を押し出し加工したものに塗装及びアルマイト処理が施されたもの等が好ましい。例えば、第一の実施形態に係る台座２０ｂでは、長尺な金属板が用いられており、基板２０ａが配置される第１の面２１が突出するように、金属板の短手方向ｙの端部を略Ｌ字形状に折り曲げることによって第２の面２２を形成している。
【００２３】
（基板）
基板は、発光素子を有する光源やコネクタ等の電子部品が配置され、さらに、それらの電子部品と電気的に接続される回路パターンが形成された回路基板である。基板としては、機械的強度および熱伝導性が高く、熱変形の少ない材料を用いるのが好ましい。具体的には、セラミックス、ガラス、ガラスエポキシ、アルミニウム合金等を用いたプリント基板が好適に利用される。
また、第一の実施形態に係る基板では、矩形形状を有しているが、これに限定されず、正方形状の基板を台座の長手方向に並べて配置しても良い。基板の上面には、複数の光源が台座の長手方向に沿って所定の間隔で配列されている。このとき、光源は、基板の回路パターンとＡｇやＡｕ、Ｓｎ等の接合部材によって、ハンダ付けされて電気的に接続されている。光源の配列としては、二列で互い違いになるように設けられても良いが、照明ユニットの用途に応じて一列または三列以上設けても良い。さらに、基板は、例えば第一の実施形態（特に図６）のように、外部電源（図示しない）と電気的な接続を可能にする配線（図示しない）及びコネクタ９０を有しており、光源１０と同様にしてコネクタ９０が回路パターンと電気的に接続されている。このとき、コネクタは、台座の長手方向側に設けられているのが好ましく、長手方向に並べられた複数の基板を直列的に接続し易くすることができる。さらに、照明ユニットを複数設ける際にも、各照明ユニットを直列的に接続し易くすることができる。
また、基板の上面には、照明ユニット内部に発生した水分に対する保護処理がされているのが好ましい。例えば、シリコーンやフッ素系、アクリル系の防水コートが挙げられる。さらに、基板の下面には、放熱性に優れるグリスや両面テープを設けて台座との隙間(空気層)を埋めるのが好ましく、熱伝導性が好ましくない基板を用いる際には、銅やアルミニウム合金等から構成される金属基板を接合しても良い。
【００２４】
（光源）
光源は、発光素子を有しており、光を発光することが可能な素子であれば特に限定されるものではない。例えば、発光ダイオード（ＬＥＤ）や半導体レーザ素子（ＬＤ）等の当該分野で使用されているもののいずれをも使用することができる。特に、ＲＧＢの各波長域の光に対応した複数の発光素子を用いることにより、単色の発光素子を用いる場合よりも、演色性を向上させることができるため好ましい。
このような発光素子は、光源として、発光素子自体を直接基板に実装して用いても良い他、パッケージや被覆部材等により覆われた発光装置として用いても良い。例えば、発光装置としては、セラミックや樹脂などで形成されたパッケージに発光素子が配置された表面実装型（ＳＭＤ）や、リードフレームに配置された発光素子をガラスや樹脂などの被覆部材でモールドして形成された砲弾型（ランプタイプ）等が挙げられる。さらに、パッケージや被覆部材には、それぞれ波長変換部材（例えば、アルミニウム酸化物系蛍光体や窒化物系蛍光体、シリケート系蛍光体等）や光拡散部材（例えば、アルミナやシリカ、酸化チタン等）を含有させることもできる。
【００２５】
（光反射体）
光反射体は、光源からの光を照明ユニットの短手方向に反射するように、光源を覆う部材である。光反射体は、支持体の第１の面の短手方向の端部で開口するように設けられているのが好ましく、照明ユニットの用途に合わせて、互い違いに開口するように配置したり、片側方向のみに開口するように配置したりすることもできる。このような光反射体は、ＡＢＳ、ポリカーボネート、アクリル等の樹脂成型品に光反射性の高いＡｌやＡｇ等の金属膜を蒸着、鍍金したもの、若しくはＡｌ板材等をプレス加工したものにより、形成することができる。さらに、光反射面には拡散効果のあるブラスト加工を施すこともできる。
（カバー）
カバーは、発光素子から光が入射する光有効面が透光性を有する材料で構成されていれば特に限定されず、当該分野で公知の材料によって形成することができる。例えば、軽量で、強度の強いプラスチック、特に加工性および耐熱性を考慮すると、ポリカーボネートやアクリルなどの樹脂材料にて構成されていることが好ましい。ここで、透光性を有する材料は、発光素子からの光を１００％透過することが好ましいが、混色、色むら等を考慮して、半透明および不透明（例えば、光透過性が７０％程度以上、乳白色のもの等）のものも含むものとする。また、カバーは、光拡散効果を有するものでもよい。光拡散効果を有するカバーを用いることにより、輝度・色ムラが照射ムラに影響する発光素子を使用した場合にも、これらの照射ムラを抑制することが可能な照明ユニットを得ることができる。ここで、光拡散効果を有するカバーとは、発光素子からの光を拡散し得る部材を意味し、カバー自体に光拡散処理が施されたものでもよいし、カバーに光拡散効果を有する他の部材を組み合わせたものでもよい。例えば、カバーの外側や内側に拡散シート（例えば、半透明および乳白色樹脂製の薄いシート）を貼り付けてもよいし、サンドブラスト、研磨等の粗面化処理を施してもよい。さらに、カバーを形成する材料自体に拡散部材を混入してもよい。これにより、発光素子からの光を均一なひとつの面光源とすることができる。
（キャップ）
キャップは、カバー及び支持体の長手方向の端部を外側から覆うと共に保持するための部材である。具体的には第一の実施形態（特に図８）のように、キャップ５０の内側に、カバー３０及び支持体２０の長手方向ｘに突出された突起部５２が複数設けられており、この突起部５２とキャップの内面５３から溝部５１を構成している。この溝部５１に対して、カバー３０及び支持体２０の長手方向ｘの端部が挿入されて保持されている。このようなキャップの材料としては、特に限定されず、ABS、ポリカーボネート、PP、POM等の樹脂が好適に利用される。
【００２６】
＜第二の実施形態＞
図１１は、第二の実施形態に係る照明ユニットを短手方向ｙに切った断面を模式的に示す断面図である。
【００２７】
また、第二の実施形態に係る照明ユニットは、支持体の第１の面２１の形状以外は、第一の実施形態と実質的に同様の構造を有している。なお、同じ構造については図１乃至１０を用いて説明すると共に、省略する部分もある（以下の実施形態および実施例でも同様とする）。
【００２８】
第二の実施形態に係る照明ユニットは、主として、発光素子を有する複数の光源１０と、光源１０が長手方向ｘに沿って配列された長尺な支持体２０と、を備え、支持体２０は、光源１０が設けられた第１の面２１と、第１の面２１から連続して第１の面２１の高さよりも低く、かつ支持体の長手方向ｘに沿って設けられた第２の面２２と、から少なくとも構成されている。
さらに、第二の実施形態に係る支持体２０は、光源１０が設けられるための基板２０ａと台座２０ｂとの少なくとも二つの部材から構成され、台座２０ｂの上に基板２０ａが設けられている。つまり、支持体の第１の面２１は基板２０ａ及び台座２０ｂから構成され、支持体の第２の面２２は台座２０ｂから構成されることになる。このとき、支持体２０を短手方向ｙに切った断面からみて、基板２０ａの端部は、支持体の第２の面２２側に突出するように設けられている。
【００２９】
以上説明したように、第二の実施形態に係る照明ユニットは、第一の実施形態と同様の効果を有する。さらに、本実施形態に係る照明ユニットは、支持体の第２の面２２側に排水された水分が、再び第１の面２１側に流れ込み滞留してしまうのを抑制することができる。
【００３０】
＜第三の実施形態＞
第三の実施形態に係る発光装置は、支持体の第１の面に溝部が形成されている点以外は、第一の実施形態と実質的に同様の構造を有している。
【００３１】
主として、発光素子を有する複数の光源１０と、光源１０が長手方向ｘに沿って配列された長尺な支持体２０と、を備え、支持体２０は、光源１０が設けられた第１の面２１と、第１の面２１から連続して第１の面２１の高さよりも低く、かつ支持体の長手方向ｘに沿って設けられた第２の面２２と、から少なくとも構成されている。
さらに具体的には、支持体の第１の面２１には、支持体２０の長手方向ｘに対して斜めに、支持体の第２の面２２側まで延在された溝部が形成されている。
【００３２】
以上説明したように、第三の実施形態に係る照明ユニットは、第一の実施形態と同様の効果を有する。さらに、本実施形態に係る照明ユニットは、照明ユニットの長手方向ｘが縦向き（略鉛直方向）になるように設置された際、支持体の第１の面２１に流れる水分を第２の面２２まで容易に導くことができる。
【実施例】
【００３３】
＜実施例１＞
実施例１として、第一の実施形態に係る照明ユニットを用いて説明する。
【００３４】
実施例１は、発光素子を有する複数の光源１０と、光源１０が長手方向ｘに沿って配列された長尺な支持体２０と、支持体２０に設けられ光源１０を覆う光反射体７０と、光源１０及び光反射体７０を覆うカバー３０と、支持体２０及びカバー３０を保持するキャップ５０と、を備えており、さらに支持体２０は、光源１０が設けられるための基板２０ａと台座２０ｂとから構成されている。
なお、光源１０として発光ダイオードを有する表面実装型の発光装置、支持体の基板２０ａとしてガラスエポキシ基板、支持体の台座２０ｂとして亜鉛メッキ鋼（SECC）、カバー３０としてポリカーボネート樹脂、光反射体７０としてポリカーボネート樹脂にアルミニウム合金の膜を蒸着したもの、キャップ５０としてポリカーボネート樹脂、を用いる。
【００３５】
実施例１において、支持体２０は、略矩形形状を有しており、台座２０ｂの上に基板２０ａが長手方向ｘに沿って設けられ第１の面２１を構成している。さらに、支持体の第１の面２１を構成する台座２０ｂが短手方向ｙの両側に延在されて第２の面２２を構成している。このとき支持体の第２の面２２は、延在された台座２０ｂが、光源１０が設けられる側とは反対側に折り曲げられて略Ｌ字形状を有している。さらに、折り曲げられた第２の面２２の先端は、フック形状に折り曲げられており、複数の光源１０を一体的に覆う透光性のカバー３０が固定されている。カバー３０の長手方向ｘの両端部は、それぞれ支持体２０の長手方向ｘの端部と開口部を構成しており、その開口部を覆うようにしてカバー３０及び支持体２０を保持するキャップ５０が設けられている。キャップ５０には、少なくとも支持体の第２の面２２の延長上にあり、かつ、支持体の第１の面２１の高さよりも低くなるように排水口６０が形成されている。また、支持体２０には、支持体の第１の面２１の短手方向ｙの端部で開口して光源１０を覆う光反射体７０が複数設けられている。各光反射体７０は、同一方向に開口するドーム形状を有する部分７４（以下、ドーム部という）を複数有しており、各ドーム部７４の内側に光源１０がそれぞれ配置されている。さらに、各光反射体７０は、隣接するドーム部７４の間に、支持体の第１の面２１の短手方向ｙの端部に沿って設けられる壁面部７５を有している。光反射体の壁面部７５は、支持体の第１の面２１に対して略垂直方向に、光反射体のドーム部７４（特に、その開口部）の高さよりも高くなるように延在して設けられている。このような光反射体７０は、支持体２０の長手方向ｘに沿って背中合わせとなるように２列に配列されており、各光反射体のドーム部７４が互い違いに重なるように配置されている。このとき、光反射体７０は、支持体２０と接する部分にそれぞれフック部７６を有しており、支持体２０に形成された貫通孔に光反射体のフック部７６が挿入されて係止されている。また、支持体２０の長手方向ｘ側には、照明ユニットを外部に固定するための取り付け部材２４が、台座２０ｂの長手方向ｘの端部から略Ｌ字形状に折り曲げられて設けられている。この取り付け部材２４は、照明ユニットが取り付け面から離間するように、ネジ等の部品により固定されている。
【００３６】
以上により、実施例１では、第一の実施形態とほぼ同様の効果を有する照明ユニットを提供することができる。
【産業上の利用可能性】
【００３７】
本発明の照明ユニットは、冷蔵庫や冷凍庫等のショーケースの照明の他にも、一般照明や内照式看板、外照式看板等の種々の照明ユニットに利用することができる。
【符号の説明】
【００３８】
１０…光源、２０…支持体、２０ａ…基板、２０ｂ…台座、２１…支持体の第１の面、２２…支持体の第２の面、２３…支持体のフック部、２４…支持体の取り付け部材、３０…カバー、３１…カバーの鍔部、５０…キャップ、５１…キャップの溝部、５２…キャップの突起部、５３…キャップの内面、６０…排水口、７０…光反射体、７１…光反射体の背面部、７２…光反射体の側面部、７４…光反射体のドーム部、７５…光反射体の壁面部、７６…光反射体のフック部、８０…配線孔
【図１】
2010170847.tif 000003
【図２】
2010170847.tif 000004
【図３】
2010170847.tif 000005
【図４】
2010170847.tif 000006
【図５】
2010170847.tif 000007
【図６】
2010170847.tif 000008
【図７】
2010170847.tif 000009
【図８】
2010170847.tif 000010
【図９】
2010170847.tif 000011
【図１０】
2010170847.tif 000012
【図１１】
2010170847.tif 000013